(57)【要約】【課題】作業者が長靴を履いて土木作業や農作業を行う際に長靴の口部から土砂等が入らないように保護することができる長靴用カバーを提供する。【解決手段】防水性の生地２によって筒状カバー本体３を形成し、この筒状カバー本体３の両端開口部にゴム７を介在させることによって夫々周方向に伸縮自在の絞り部５，６を形成してなるもので、筒状カバー本体３を長靴８の筒状部８ａに被せて、筒状カバー本体３の下端側絞り部５を長靴８の筒状部８ａの下端部に密着させると共に、筒状カバー本体３の上端側絞り部６を、長靴８を履いた作業者Ｍの脚部１０に締着させるようにした。【選択図】図３
0003107764.tif 000002
【実用新案登録請求の範囲】
【請求項１】
作業者が長靴を履いて土木作業等を行う際に長靴の口部から土砂等が入らないように保護する長靴用カバーであって、防水性の生地によって筒状カバー本体を形成し、この筒状カバー本体の両端開口部にゴムを介在させることによって夫々周方向に伸縮自在の絞り部を形成してなり、筒状カバー本体を長靴の筒状部に被せて、筒状カバー本体の下端側絞り部を長靴の筒状部の下端部に密着させると共に、筒状カバー本体の上端側絞り部を、長靴を履いた作業者の脚部に締着させるようにした長靴用カバー。
【請求項２】
筒状カバー本体は、下端側絞り部が長靴の筒状部の下端部に密着し、上端側絞り部が長靴を履いた作業者の脚部の膝下側位置に締着する長さに形成されてなる請求項１に記載の長靴用カバー。
【考案の詳細な説明】
【技術分野】
【０００１】
本考案は、作業者が長靴を履いて土木作業や農作業で孔堀作業等を行うような場合に、長靴の口部から土砂等が入らないように保護する長靴用カバーに関するものである。
【背景技術】
【０００２】
土木作業者が長靴を履いて孔堀等の土木作業を行う際に、作業着のズボンの裾部を長靴の筒状部に挿入した状態にしておくと、掘り起こされて飛散する土砂等が長靴の口部から筒状部の中に入るため、その都度長靴を脱いで、中に入った土砂等を取り出す必要があって、非常に面倒である。また、ズボンの裾部を長靴の筒状部の外側に出して、筒状部を被った状態で作業を行うと、筒状部の中に土砂等が入ることはないが、ズボンの裾部が掘削土砂で汚れたり擦り切れたりする不都合がある。このような問題は、土木作業の他、農作業者が長靴を履いて、田畑を耕すなどの農作業を行う場合も同様である。
【考案の開示】
【考案が解決しようとする課題】
【０００３】
本考案は、上記の課題に鑑みてなされたもので、作業者が長靴を履いて土木作業や農作業を行う際に長靴の口部から土砂等が入らないように保護することができる長靴用カバーを提供することを目的とする。
【課題を解決するための手段】
【０００４】
上記課題を解決するための手段を、後述する実施形態の参照符号を付して説明すると、請求項１に係る考案は、作業者Ｍが長靴８を履いて土木作業等を行う際に長靴８の口部８ｏから土砂等が入らないように保護する長靴用カバー１であって、防水性の生地２によって筒状カバー本体３を形成し、この筒状カバー本体３の両端開口部にゴム４を介在させることによって夫々周方向に伸縮自在の絞り部５，６を形成してなり、筒状カバー本体３を長靴８の筒状部８ａに被せて、筒状カバー本体３の下端側絞り部５を長靴８の筒状部８ａの下端部に密着させると共に、筒状カバー本体３の上端側絞り部６を、長靴８を履いた作業者Ｍの脚部１０に締着させるようにしたことを特徴とする。
【０００５】
請求項２は、請求項１に記載の長靴用カバーにおいて、筒状カバー本体３は、下端側絞り部５が長靴８の筒状部８ａの下端部に密着し、上端側絞り部６が長靴８を履いた作業者Ｍの脚部１０の膝１０ｏ下側位置に締着する長さに形成されてなることを特徴とする。
【考案の効果】
【０００６】
上記解決手段による発明の効果を、後述する実施形態の参照符号を付して説明すると、請求項１に係る考案の長靴用カバー１によれば、筒状カバー本体３の下端側絞り部５を長靴８の筒状部８ａの下端部に密着させると共に、このカバー本体３の上端側絞り部６を、長靴８を履いた作業者Ｍの脚部１０に締着させた状態で、このカバー１を着用することによって、土木作業や農作業で土を掘り起こすような作業を行う時に、掘り起こされて飛散する土砂等が長靴８の口部８ｏから筒状部８ａの中に入ることがなくなり、従って作業者Ｍは気持ちよく作業を行うことができ、それによって作業能率を上げることができる。また、筒状カバー本体３は防水性を有するから、このカバー本体３に泥土が付着しても、長靴８の内部を濡らすようなことがない。
【０００７】
請求項２に係る考案のように、筒状カバー本体３の長さを、下端側絞り部５が長靴８の筒状部８ａの下端部に密着し、上端側絞り部６が長靴８を履いた作業者Ｍの脚部１０の膝１０ｏ下側位置に締着する長さにすることによって、作業者Ｍにとって着心地が良く、作業がし易くなる上に、作業者Ｍの頻繁な脚の動きによっても筒状カバー本体３の上端側絞り部６がずれ落ちることがない。
【考案を実施するための最良の形態】
【０００８】
以下に本考案の好適な実施形態について図面に基づいて説明すると、図１は作業者Ｍが本考案に係る長靴用カバー１を使用して土木作業を行っている状態を示し、図２の(a) は図１に示す長靴用カバー１の外観斜視図、(b) は(a) のＸ−Ｘ線拡大断面図、(c) は(a)
のＹ−Ｙ線拡大断面図、また図３は長靴用カバー１の使用状態を示す拡大断面図である。この長靴用カバー１は、防水性の生地２によって筒状のカバー本体３を形成し、このカバー本体３の両端開口部にゴム紐４を介在させることによって夫々周方向に伸縮自在の絞り部５，６を形成してなるものである。
【０００９】
上記長靴用カバー１の構造について更に詳細に説明すれば、筒状カバー本体３は、生地２として、例えばポリエステル織物生地に防水加工が施されたものを使用し、このポリエステル織物生地２を所要大きさの矩形状に裁断して二つに折り曲げ、その折り曲げた生地２の、折曲部と反対側の端縁部どうしを縫合することにより、筒状のカバー本体３を形成する。図２の(b) は矩形状の生地２を二つ折り曲げて、その生地２の両端縁部２ａ，２ａどうしを縫合した状態を示したもので、その縫い糸を１１で示し、また縫合した両端縁部２ａ，２ａが開かないように縫い付ける糸を１２で示す。
【００１０】
こうして形成した筒状カバー本体３の両端開口部を夫々所定幅だけ内側に折り曲げ、その先端縁部を更に内側に折り曲げて、この先端折曲部を縫い糸１３で縫合することにより、図２の(c) に示すようなゴム紐挿入用袋部１４を形成する。しかして、この筒状カバー本体３の一端開口部側のゴム紐挿入用袋部１４にゴム紐４を通すことによって、当該一端開口部の周方向に伸縮自在の絞り部５を形成し、また筒状カバー本体３の他端開口部側のゴム紐挿入用袋部１４にゴム紐４を通すことにより、当該他端開口部の周方向に伸縮自在の絞り部６を形成する。これによって、図２の(a) に示すような長靴用カバー１を形成する。
【００１１】
上記のような構成よりなる長靴用カバー１の使用にあたっては、図１及び図３を参照すれば分かるように、作業服９を着た作業者Ｍが長靴８を履く前に、この長靴８の筒状部８ａに筒状カバー本体３を被せて、この筒状カバー本体３の一端側絞り部５を長靴８の筒状部８ａの下端部に密着させ、しかして筒状カバー本体３の上部側は、外側へ折り返して、長靴８の筒状部８ａの上端から突出しないようにしておくとよい。
【００１２】
このような状態から、作業者Ｍは、着用している作業服９のズボン９ａの裾部９ｏを長靴８の筒状部８ａの中に押し込んだ態で筒状部８ａ内に脚部１０を入れて長靴８を履き、しかして一端側（下端側）絞り部５を筒状部８ａの下端部に密着させている筒状カバー本体３の上部側を上方へ延ばして、他端側（上端側）絞り部６を、図３に示すように作業者Ｍの脚部１０の、膝１０ｏより僅かに下側位置にズボン９ａの上から締着させるようにすればよい。
【００１３】
このように、筒状カバー本体３の下端側絞り部５を長靴８の筒状部８ａの下端部に密着させると共に、このカバー本体３の上端側絞り部６を、長靴８を履いた作業者Ｍの脚部９に締着させた状態で、この長靴用カバー１を着用することによって、例えば図１に示すような孔堀作業を行う時に、掘り起こされて飛散する土砂等が長靴８の口部８ｏから筒状部８ａの中に入ることがなく、従って作業者Ｍは気持ちよく作業を行うことができ、それによって作業能率を上げることができる。
【００１４】
また、この長靴用カバー１は、図１及び図３に示すように、筒状カバー本体３の下端側絞り部５を長靴８の筒状部８ａの下端部に密着させると共に、このカバー本体３の上端側絞り部６を、長靴８を履いた作業者Ｍの脚部１０の膝１０ｏの下側位置に締着させた状態で着用することによって、作業者Ｍにとって作業がし易くなる上に、作業者Ｍの頻繁な脚の動きによっても筒状カバー本体３の上端側絞り部６がずれ落ちることがなく、常に定着状態で着心地良く長靴用カバー１を使用することができる。
【００１５】
従って、筒状カバー本体３は、作業者Ｍの脚長によって多少異なるが、何れにしても、下端側絞り部５が長靴８の筒状部８ａの下端部に密着し、上端側絞り部６が長靴８を履いた作業者Ｍの脚部１０の膝１０ｏ下側位置に締着するような長さに形成するとよい。
【００１６】
以上説明した実施形態では、ポリエステル織物生地２を所要大きさの矩形状に裁断して二つに折り曲げ、その折り曲げた生地２の両端縁部２ａ，２ａ（図２の(b) 参照）どうしを縫合することによって、筒状のカバー本体３を形成しているが、例えば筒状に一体形成されたビニール袋を所要長さに切断することによって形成してもよい。
【００１７】
また筒状カバー本体３は、好みの色に着色された生地２や所望の模様の入った生地２によって形成することができる。
【００１８】
また、上述した実施形態では、作業者Ｍは作業着９の長ズボン９ａを着用し、その長ズボン９ａの裾部９ａを長靴８の筒状部８ａの中に押し込んだ状態で長靴用カバー１を使用する場合について説明したが、作業者Ｍが作業用の半ズボンを着用する場合は、作業者Ｍが言わば素足の状態で長靴８を履くことになるため、カバー本体３の上端側絞り部６は作業者Ｍの脚部１０に直接締着されることになる。
【図面の簡単な説明】
【００１９】
【図１】作業者が本考案に係る長靴用カバーを使用して土木作業を行っている状態を示す説明図である。
【図２】(a) は図１に示す長靴用カバーの拡大外観斜視図、(b) は(a) のＸ−Ｘ線拡大断面図、(c) は(a) のＹ−Ｙ線拡大断面図である。
【図３】長靴用カバーの使用状態を示す拡大断面図である。
【符号の説明】
【００２０】
１            長靴用カバー
２            生地
３            筒状カバー本体
４            ゴム紐
５，６        絞り部
８            長靴
８ａ          長靴の筒状部
１０          作業者の脚部
１０ｏ        脚部の膝
【図１】
0003107764.tif 000003
【図２】
0003107764.tif 000004
【図３】
0003107764.tif 000005